(57)【要約】【課題】可動レンズ群の操作トルクを大きくすることなく、カメラ傾斜時における可動レンズ群の自重落下を防止し、可動レンズ群の位置精度を維持することができるレンズ鏡筒を提供する。【解決手段】係止部材１３０の歯部と操作環１２０の櫛歯の可動方向は異なっており、唯一櫛歯の移動軌跡の一点で、歯部と櫛歯とが交差し歯合する。このため、歯合状態になると、係止部材１３０と操作環１２０が互いの駆動力を打消し合うことで、操作環１２０が回動しないように確実にロックされ、可動レンズ群の自重落下を防止し、可動レンズ群の位置精度を維持することができる。【選択図】図１
2015011324.tif 000002
【特許請求の範囲】
【請求項１】
側面の一部に光軸に対して平行な平面が形成された固定筒と、
光学素子を支持しながら光軸に沿う方向へ移動可能な光学素子枠と、
円周方向に櫛歯が連続的に複数形成され、前記固定筒に対して光軸中心に回動可能に支持され、回動することにより前記光学素子枠を光軸に沿う方向へ移動させる操作環と、
光軸に沿って正逆方向へ移動可能なロックスイッチと、
前記操作環に形成された櫛歯と歯合する形状を有する歯部が形成され、前記固定筒に形成された平面上に配置されることにより光軸に沿う方向へ移動可能な係止部材と、
前記係止部材を光軸に沿う方向へ移動可能に係合するとともに、前記係止部材と一体的に光軸に対して略直交する前記操作環の接線方向へ移動可能に前記ロックスイッチに係合され、前記ロックスイッチの移動に伴い前記操作環に対して前記係止部材を光軸に沿う方向へ接離させて前記操作環のロックまたはロック解除を行う連結部材と、
前記連結部材に取り付けられ前記係止部材を押圧することで前記係止部材を前記操作環の方向へ付勢する付勢部材と、
を備えたことを特徴とするレンズ鏡筒。
【請求項２】
前記操作環に形成された櫛歯および前記係止部材に形成された歯部の歯先は曲線形状であることを特徴とする請求項１に記載のレンズ鏡筒。
【請求項３】
前記操作環のロック解除時に前記連結部材を所定の位置に案内するガイド部が設けられており、前記ロックスイッチの解除時には前記連結部材の一端に形成された被ガイド部が前記ガイド部内に案内されることで、前記係止部材に形成された歯部の位相が所定の状態に維持されることを特徴とする請求項１または２に記載のレンズ鏡筒。
【請求項４】
前記連結部材と前記ロックスイッチとの間にはガイドバネが設けられており、前記操作環のロック解除時には前記ガイドバネの弾性力により前記連結部材が所定の位置に案内され、前記係止部材に形成された歯部の位相が所定の状態に維持されることを特徴とする請求項１または２に記載のレンズ鏡筒。
【発明の詳細な説明】
【技術分野】
【０００１】
本発明は、光軸に沿う方向へ移動自在に支持されたレンズ群（レンズ枠）が意図せず自重で落下することを防止する機構を備えたレンズ鏡筒に関する。
【背景技術】
【０００２】
レンズ群（レンズ枠）を光軸に沿う方向へ移動自在に支持するレンズ鏡筒においては、レンズ群を駆動する駆動手段の負荷を低減するために、レンズ群を軽い力で光軸に沿う方向へ移動させることができるように様々な手法がとられている。しかしながら、レンズ群を軽い力で光軸に沿う方向へ移動させることが可能になると、レンズ鏡筒を搭載したカメラを傾けたとき、レンズ群が意図せず自重で落下するおそれがある。
【０００３】
そこでかかる不具合を防止するため、一つの手法として、ゴムや板バネ等の圧接部材で光軸中心に回転する回転枠に光軸と平行な方向から抵抗力を付与したり、移動・回転する枠・筒に光軸に対して平行な方向から抵抗力を付与したりして、レンズ群が自重落下することを防止していた（たとえば、特許文献１，２を参照。）。
【先行技術文献】
【特許文献】
【０００４】
【特許文献１】特開２０１０−１６９９２９号公報
【特許文献２】特開２０１０−２５０１３７号公報
【発明の概要】
【発明が解決しようとする課題】
【０００５】
しかしながら、上記従来技術では、圧接部材で枠・筒等に付与する抵抗力を常時生じさせているため、レンズ群を移動させるための操作トルクが大きくなってしまい、レンズ群を駆動する駆動手段の負荷が増大するという問題が発生する。また、繰り返して操作している間に、圧接部材が摩耗してしまい、レンズ群の位置精度が保持できなくなるばかりか、レンズ群の自重落下を防止できなくなってしまう。
【０００６】
かかる問題を解決するには、レンズ鏡筒に光軸に沿う方向へ移動可能なロックスイッチを設け、このロックスイッチを操作環の切欠き箇所に差し込み、操作環の回動自体をロックしてしまう手法がある。ただ、この手法では、操作トルクの増大や圧接部材の摩耗といった問題は生じないが、ロックスイッチを操作環の切欠き箇所に差し込み可能な回転位置に位置していないと操作環の回動をロックできないため、ロックスイッチを操作環の切欠き箇所に差し込みできない回転位置で操作環の回動をロックしたくても操作環の回動をロックすることができない。
【０００７】
本発明は、上述した従来技術による問題点を解消するため、可動レンズ群の操作トルクを大きくすることなく、カメラ傾斜時における可動レンズ群の自重落下を防止し、可動レンズ群の位置精度を維持することができるレンズ鏡筒を提供することを目的とする。また、操作環がどの回転位置であっても、可動レンズ群の自重落下を防止することができるレンズ鏡筒を提供することを目的とする。また、使用頻度が増加した場合であっても、部材が劣化せず、可動レンズ群の位置精度を維持することができるレンズ鏡筒を提供することを目的とする。
【課題を解決するための手段】
【０００８】
上述した課題を解決し、目的を達成するため、本発明にかかるレンズ鏡筒は、側面の一部に光軸に対して平行な平面が形成された固定筒と、光学素子を支持しながら光軸に沿う方向へ移動可能な光学素子枠と、円周方向に櫛歯が連続的に複数形成され、前記固定筒に対して光軸中心に回動可能に支持され、回動することにより前記光学素子枠を光軸に沿う方向へ移動させる操作環と、光軸に沿って正逆方向へ移動可能なロックスイッチと、前記操作環に形成された櫛歯と歯合する形状を有する歯部が形成され、前記固定筒に形成された平面上に配置されることにより光軸に沿う方向へ移動可能な係止部材と、前記係止部材を光軸に沿う方向へ移動可能に係合するとともに、前記係止部材と一体的に光軸に対して略直交する前記操作環の接線方向へ移動可能に前記ロックスイッチに係合され、前記ロックスイッチの移動に伴い前記操作環に対して前記係止部材を光軸に沿う方向へ接離させて前記操作環のロックまたはロック解除を行う連結部材と、前記連結部材に取り付けられ前記係止部材を押圧することで前記係止部材を前記操作環の方向へ付勢する付勢部材と、を備えたことを特徴とする。
【０００９】
さらに、本発明にかかるレンズ鏡筒は、前記発明において、前記操作環に形成された櫛歯および前記係止部材に形成された歯部の歯先が曲線形状であることを特徴とする。
【００１０】
さらに、本発明にかかるレンズ鏡筒は、前記発明において、前記操作環のロック解除時に前記連結部材を所定の位置に案内するガイド部が設けられており、前記ロックスイッチの解除時には前記連結部材の一端に形成された被ガイド部が前記ガイド部内に案内されることで、前記係止部材に形成された歯部の位相が所定の状態に維持されることを特徴とする。
【００１１】
また、本発明にかかるレンズ鏡筒は、前記発明において、前記連結部材と前記ロックスイッチとの間にはガイドバネが設けられており、前記操作環のロック解除時には前記ガイドバネの弾性力により前記連結部材が所定の位置に案内され、前記係止部材に形成された歯部の位相が所定の状態に維持されることを特徴とする。
【発明の効果】
【００１２】
本発明にかかるレンズ鏡筒は、可動レンズ群の操作トルクを大きくすることなく、カメラ傾斜時における可動レンズ群の自重落下を防止し、可動レンズ群の位置精度を維持することができるという効果を奏する。また、操作環がどの回転位置であっても、可動レンズ群の自重落下を防止することができるという効果を奏する。また、使用頻度が増加した場合であっても、部材が劣化せず、可動レンズ群の位置精度を維持することができるという効果を奏する。
【図面の簡単な説明】
【００１３】
【図１】実施の形態１にかかるレンズ鏡筒の主要部の構成を示す光軸に沿う断面図である。
【図２】操作環１２０の構成を示す斜視図である。
【図３】係止部材１３０および連結部材１４０の構成を示す図である。
【図４】ロックスイッチ１６０の構成を示す図である。
【図５】実施の形態１にかかるレンズ鏡筒の動作を説明するための図である。
【図６】操作環１２０の櫛歯１２２と係止部材１３０の歯部１３２とが歯合する状態を説明するための図である。
【図７】図１（ｂ）のＡ−Ａ線断面図である。
【図８】操作環１２０のロック解除に至る状態を説明するための図である。
【図９】実施の形態２にかかるレンズ鏡筒に用いる係止部材１３０および連結部材２４０の構成を示す図である。
【図１０】実施の形態２にかかるレンズ鏡筒に用いるロックスイッチ２６０の構成を示す図である。
【図１１】実施の形態２にかかるレンズ鏡筒におけるガイドバネ２５０の動作を説明するための図である。
【図１２】実施の形態３にかかるレンズ鏡筒に用いる係止部材１３０、連結部材３４０およびロックスイッチ３６０の構成を示す図である。
【図１３】図１２のＣ−Ｃ線断面図である。
【発明を実施するための形態】
【００１４】
以下、添付図面を参照して、本発明にかかるレンズ鏡筒の好適な実施の形態を詳細に説明する。なお、以下の実施の形態により本発明が限定されるものではない。
【００１５】
（実施の形態１）
実施の形態１にかかるレンズ鏡筒は、光学素子（たとえばレンズ群）を支持しながら光軸に沿う方向へ移動可能な光学素子枠と、固定筒と、この固定筒に対して光軸中心に回動可能に支持され回動することにより光学素子枠を光軸に沿う方向に移動させる操作環と、を有する。そして、操作環が回動しないように操作環をロックすることにより、カメラ傾斜時であっても光学素子が自重落下しないように光学素子の位置を固定するものである。
【００１６】
図１は、実施の形態１にかかるレンズ鏡筒の主要部の構成を示す光軸に沿う断面図である。図１（ａ）は操作環のロック解除状態を示す図、図１（ｂ）は操作環のロック状態を示す図である。
【００１７】
実施の形態１にかかるレンズ鏡筒は、光学素子枠（不図示）と、固定筒１１０と、操作環１２０と、係止部材１３０と、連結部材１４０と、付勢部材１５０と、ロックスイッチ１６０と、中間鏡筒１７０と、を備えている。
【００１８】
光学素子枠は、固定筒１１０内部に設けられており、レンズ群等の光学素子を光軸に沿う方向へ移動可能に支持する。固定筒１１０の外側面の一部に光軸に対して平行な平面１１１が形成されている。
【００１９】
操作環１２０は、環状であり、固定筒１１０の外周部に固定筒１１０に対して光軸中心に回動可能に支持される。操作環１２０を回動させることにより光学素子枠が光軸に沿う方向へ移動する。
【００２０】
係止部材１３０は、操作環１２０が回動しないようにロックするためのものである。係止部材１３０は、その底部１３１が固定筒１１０に形成された平面１１１上に配置され、平面１１１上を光軸方向に摺動することにより、操作環１２０に対して接離する方向へ移動する。また、底部１３１には光軸に対して平行に挿通孔１３１ａが形成されている。
【００２１】
連結部材１４０は、係止部材１３０とロックスイッチ１６０とを連結するためのものである。連結部材１４０は、固定筒１１０に形成された平面１１１上に配置されるとともに、係止部材１３０およびロックスイッチ１６０と係合されている。連結部材１４０は、ロックスイッチ１６０の光軸に沿う正逆方向への移動に伴い、平面１１１上を光軸に沿う方向へ移動し、係止部材１３０を操作環１２０に対して接離する方向へ移動させる。また、連結部材１４０の係止部材１３０側の面には、ボス部１４１が形成されている。ボス部１４１は、コイルバネ等で構成される付勢部材１５０を貫通し、先端が挿通孔１３１ａに挿通される。これにより、付勢部材１５０は、係止部材１３０を常に操作環１２０側へ付勢する。
【００２２】
ロックスイッチ１６０は、係止部材１３０を操作環１２０に対して接離する方向へ移動させるためのものである。ロックスイッチ１６０は、連結部材１４０に係合されるとともに、側片１６１が固定筒１１０に取り付けられた中間鏡筒１７０の溝部１７１に緩嵌され、中間鏡筒１７０に対して光軸に沿う方向へ摺動可能になっている。ロックスイッチ１６０は、ユーザの操作により、光軸に沿う方向へ移動して、連結部材１４０を介して係止部材１３０を光軸に沿う方向へ移動させ、係止部材１３０を操作環１２０に対して接離する方向へ移動させる。
【００２３】
次に、操作環１２０、係止部材１３０、連結部材１４０、およびロックスイッチ１６０の構成を詳細に説明する。
【００２４】
図２は、操作環１２０の構成を示す斜視図である。操作環１２０の内側面１２１の縁部には、櫛歯１２２が連続して形成されている。櫛歯１２２は、内側面１２１の縁部を一周するように形成されていてもよいが、操作環１２０の回動角度に合わせて内側面１２１の縁部の一部に形成されていてもよい。なお、櫛歯１２２の歯先は、曲線形状（Ｒ形状）を有している。
【００２５】
図３は、係止部材１３０および連結部材１４０の構成を示す図である。図３（ａ）は、本実施の形態にかかるレンズ鏡筒の側面側から見た（図１（ａ）の矢印アの方向から見た）図、図３（ｂ）は図３（ａ）の矢印エの方向から見た図である。
【００２６】
図３（ａ）に示すように、係止部材１３０の一端には歯部１３２が形成されている。歯部１３２の歯先は、曲線形状（Ｒ形状）を有している。この歯部１３２は、係止部材１３０が操作環１２０側へ押し出された状態で、操作環１２０の櫛歯１２２と歯合して操作環１２０が回動しないようにロックする。また、係止部材１３０の略中央部から光軸に沿う方向へ延びる長孔１３３が形成されている。この長孔１３３は連結部材１４０に突設された凸部１４２に係合され、係止部材１３０が連結部材１４０に対して光軸に沿って正逆方向へ摺動可能になっている。また、連結部材１４０には、光軸に対して略直交する方向へ延びる凸部１４３が突設されている。さらに、連結部材１４０の一端に先に行くに従って徐々に細くなるように形成された被ガイド部１４４が設けられている。
【００２７】
図３（ｂ）に示すように、連結部材１４０の係止部材１３０側の面には、ボス部１４１が形成されている。ボス部１４１は、コイルバネ等で構成される付勢部材１５０を貫通し、先端が挿通孔１３１ａに挿通される。これにより、付勢部材１５０は、係止部材１３０を常に操作環１２０側へ付勢する。
【００２８】
図４は、ロックスイッチ１６０の構成を示す図である。図４は、光軸方向から見た（図１（ａ）の矢印イの方向から見た）図である。ロックスイッチ１６０の側面には側片１６１が形成されている。この側片１６１が中間鏡筒１７０の溝部１７１に緩嵌されることによって、ロックスイッチ１６０が中間鏡筒１７０に対して光軸に沿う方向へ摺動可能になる。また、ロックスイッチ１６０の底部の略中央部には、光軸に対して略直交する方向へ延びる長溝１６２が形成されている。この長溝１６２には、連結部材１４０の凸部１４３が係合される。凸部１４３が長溝１６２に対して摺動することで、連結部材１４０は係止部材１３０と一体的に光軸に対して略直交する操作環１２０の接線方向への移動が可能になる。
【００２９】
次に、実施の形態１にかかるレンズ鏡筒の動作について説明する。図５は、実施の形態１にかかるレンズ鏡筒の動作を説明するための図である。図５（ａ）は操作環１２０のロック解除状態を示す図、図５（ｂ）は操作環１２０のロック状態を示す図である。なお、操作環１２０は省略してある。
【００３０】
図５（ａ）に示すように、操作環１２０のロック解除状態では、ロックスイッチ１６０は中間鏡筒１７０側にスライドされている。この状態では、係止部材１３０の歯部１３２は、操作環１２０の櫛歯１２２と歯合することはなく、操作環１２０の回動は自在である。
【００３１】
一方、図５（ｂ）に示すように、操作環１２０のロック状態では、ロックスイッチ１６０は操作環１２０側にスライドされている。この状態では、係止部材１３０の歯部１３２が操作環１２０の櫛歯１２２と歯合し、操作環１２０が回動しないようにロックされる。これにより、可動レンズ群を支持する光学素子枠の位置が固定され、カメラ傾斜時における可動レンズ群の自重落下を防止し、可動レンズ群の位置精度を維持することができる。なお、ロックスイッチ１６０が操作環１２０のロック解除状態または操作環１２０のロック状態に移行された場合は、ユーザの新たな操作がない限り公知の手法によって当該状態が維持される。
【００３２】
次に、操作環１２０がロック解除状態からロック状態へ移行する過程において、操作環１２０の櫛歯１２２と係止部材１３０の歯部１３２とが歯合する様子を説明する。図６は、操作環１２０の櫛歯１２２と係止部材１３０の歯部１３２とが歯合する状態を説明するための図である。図６（ａ）は櫛歯１２２の歯先と歯部１３２の歯先とが衝突した状態を示す図、図６（ｂ）は櫛歯１２２と歯部１３２とが歯合した状態を示す図である。
【００３３】
ロックスイッチ１６０が操作環１２０側へスライドされると、係止部材１３０の歯部１３２が操作環１２０の櫛歯１２２へ向けて押し出される。このとき、歯部１３２と櫛歯１２２との位相がずれている場合には、それぞれの歯先が衝突してしまい歯合しない状態が生じる場合がある（図６（ａ）を参照）。
【００３４】
ところで、実施の形態１にかかるレンズ鏡筒では、前述のように、歯部１３２の歯先と櫛歯１２２の歯先はともに曲線形状になっている。加えて、係止部材１３０は付勢部材１５０によって常に操作環１２０側（矢印オの方向）へ付勢された状態であるとともに、係止部材１３０が光軸に対して略直交する操作環１２０の接線方向（櫛歯１２２に対して水平方向：矢印カの方向）へ移動可能になっている。このため、図６（ａ）に示したような状態が発生した場合でも、ユーザが特段の操作をしなくても、付勢部材１５０の付勢力によって歯部１３２の歯先が櫛歯１２２の歯先から稜線に沿って移動し、歯部１３２と櫛歯１２２とが歯合状態に達する（図６（ｂ）を参照）。こうして操作環１２０の完全なロックが可能になる。
【００３５】
このように、実施の形態１では、歯部１３２と櫛歯１２２の位相の修正が必要になった場合でも、その修正は、操作環１２０を回動させることなく、係止部材１３０の移動のみで可能である。したがって、位相の修正が行われる場合であっても、可動レンズ群の位置がずれることはなく、可動レンズ群の位置精度に影響を及ぼすことはない。
【００３６】
なお、歯部１３２と櫛歯１２２とが歯合状態に達した場合には、歯部１３２は付勢部材１５０の付勢力によって常に櫛歯１２２に押圧された状態になっているため、ユーザがロックスイッチ１６０を中間鏡筒１７０側へスライドさせない限り、歯部１３２と櫛歯１２２とが離れることはない。
【００３７】
次に、操作環１２０のロック状態を説明する。図７は、図１（ｂ）のＡ−Ａ線断面図である。図７に示すように、係止部材１３０は固定筒１１０の平面１１１上に配置されている。したがって、操作環１２０のロック状態における係止部材１３０の可動方向は、光軸に対して略直交する操作環１２０の接線方向（矢印キの方向）のみである。これに対して、操作環１２０の櫛歯１２２の可動方向は、光軸を中心とする円周上である。
【００３８】
すなわち、係止部材１３０の歯部１３２と操作環１２０の櫛歯１２２の可動方向は異なっており、唯一櫛歯１２２の移動軌跡の一点で、歯部１３２と櫛歯１２２とが交差し歯合することになる。このため、歯合状態になると、係止部材１３０と操作環１２０が互いの駆動力を打消し合うことで、操作環１２０が回動しないようにロックされることになる。
【００３９】
次に、操作環１２０のロック解除に至る状態を説明する。図８は、操作環１２０のロック解除に至る状態を説明するための図である。図８（ａ）は操作環１２０のロック状態を示す図（図１（ｂ）の矢印ウの方向から見た図）、図８（ｂ）は操作環１２０ロック解除状態を示す図（図１（ａ）の矢印アの方向から見た図）である。なお、ロックスイッチ１６０は省略してある。
【００４０】
一般に、係止部材１３０の歯部１３２を操作環１２０の櫛歯１２２に対して接離させることにより操作環１２０のロックを行うとき、操作環１２０のロック、ロック解除動作を繰り返した場合には、係止部材１３０の歯部１３２と操作環１２０の櫛歯１２２の位相のずれが大きくなる傾向にある。このような場合、操作環１２０のロックが完了するまでに所望のロック位置より操作環１２０の回動が進んでしまうおそれがある。所望のロック位置より操作環１２０の回動が進んでしまうと、レンズ群の位置も所望の位置よりずれてしまって、レンズ群の位置精度が低下する。また、係止部材１３０の歯部１３２と操作環１２０の櫛歯１２２との歯合状態が不完全になり、ロック状態が意図せずに解除されてレンズ群が自重落下するおそれもある。このような不具合を解消するためには、係止部材１３０も操作環１２０と同様に光軸中心に回転移動させることが必要になる。しかし、このようにするとレンズ鏡筒の構成が複雑且つ大型になる。
【００４１】
かかる不具合を解消するため、実施の形態１にかかるレンズ鏡筒では、前述のように、連結部材１４０を係止部材１３０と一体となって光軸に対して略直交する方向（図中、矢印クの方向）へ移動可能にしたことに加え、図８（ａ），（ｂ）に示すように、中間鏡筒１７０に、連結部材１４０を所定に位置の収容できるように、連結部材１４０の被ガイド部１４４の形状に合わせたガイド部１７２を形成した。
【００４２】
このようにしたことにより、ロックスイッチ１６０を中間鏡筒１７０側へスライドさせた場合、係止部材１３０の歯部１３２は、操作環１２０の櫛歯１２２と歯合した状態（図８（ａ）参照）から連結部材１４０と一体となって離れていく。そして、ガイド部１７２の案内にしたがって被ガイド部１４４が所定の位置に収容されることにより、係止部材１３０の歯部１３２が所定の位相状態に戻る（図８（ｂ）参照）。操作環１２０のロック解除動作時ごとに係止部材１３０の歯部１３２を所定の位相状態に戻すことができるため、頻繁に操作環１２０のロック、ロック解除動作を繰り返した場合でも、係止部材１３０の歯部１３２と操作環１２０の櫛歯１２２の位相のずれが大きくなることはない。
【００４３】
なお、万一、係止部材１３０の歯部１３２と操作環１２０の櫛歯１２２との間で位相のずれが生じた場合であっても、位相修正は図６に基づき説明したようにユーザの操作を必要とせず容易に行うことができる。このように、実施の形態１にかかるレンズ鏡筒では、係止部材１３０を光軸中心に回転移動させることなく、常に所望のロック位置で操作環１２０をロックでき、レンズ群の位置精度も維持することができる。
【００４４】
以上説明したように、実施の形態１にかかるレンズ鏡筒は、ゴム等の圧接部材を用いずに、係止部材１３０の歯部１３２を操作環１２０の櫛歯１２２に対して接離させることにより操作環１２０のロックまたはロック解除を行うため、頻繁に使用しても摩耗等による部材の劣化が生じることなく、可動レンズ群の自重落下を防止し、可動レンズ群の位置精度を維持することができる。また、操作環１２０のロック解除時には、何ら操作環１２０に対して圧力を加えることはないので、操作環１２０の操作トルクが増大することもない。
【００４５】
特に、実施の形態１にかかるレンズ鏡筒は、係止部材１３０の歯部１３２の位相を常に所定の状態に維持することができるため、使用頻度が増加しても、係止部材１３０の歯部１３２の位相が操作環１２０の櫛歯１２２の位相と大きくずれることはない。
【００４６】
また、実施の形態１にかかるレンズ鏡筒では、係止部材１３０の歯部１３２の歯先と操作環１２０の櫛歯１２２の歯先はともに曲線形状になっていることに加え、係止部材１３０が付勢部材１５０によって常に操作環１２０側へ付勢された状態であるとともに、係止部材１３０が光軸に対して略直交する操作環１２０の接線方向へ移動可能になっている。したがって、係止部材１３０の歯部１３２と操作環１２０の櫛歯１２２との間で位相にずれが生じた場合であっても、ユーザが特段の操作をしなくても、歯部１３２と櫛歯１２２の位相を合わせ、操作環１２０を確実にロックすることが可能になる。なお、歯部１３２と櫛歯１２２の位相の修正が必要になった場合でも、操作環１２０が回動することはないため、可動レンズ群の位置精度に影響を及ぼすことはない。
【００４７】
さらに、実施の形態１にかかるレンズ鏡筒では、係止部材１３０の歯部１３２と操作環１２０の櫛歯１２２の可動方向は異なっており、唯一櫛歯１２２の移動軌跡の一点で、歯部１３２と櫛歯１２２とが交差し歯合することになる。このため、歯合状態になると、係止部材１３０と操作環１２０が互いの駆動力を打消し合うことで、操作環１２０が回動しないように確実にロックされ、可動レンズ群の自重落下を防止し、可動レンズ群の位置精度を維持することができる。
【００４８】
（実施の形態２）
次に、実施の形態２にかかるレンズ鏡筒について説明する。実施の形態２では、実施の形態１とは異なる手法で、係止部材１３０の歯部１３２の位相を所定の状態に維持するレンズ鏡筒の例を示す。以下では、実施の形態１のレンズ鏡筒に用いられている部材と同様の部材には同じ符号を付して説明する。
【００４９】
図９は、実施の形態２にかかるレンズ鏡筒に用いる係止部材１３０および連結部材２４０の構成を示す図である。図９（ａ）は、レンズ鏡筒の側面側から見た（図１（ａ）の矢印アの方向から見た）図、図９（ｂ）は図９（ａ）の矢印ケの方向から見た図である。係止部材１３０は実施の形態１に示したものと同様である。
【００５０】
連結部材２４０は、実施の形態１の場合と同様に、係止部材１３０と後述するロックスイッチ２６０とを連結するためのものであり、固定筒１１０に形成された平面１１１上に配置されるとともに、係止部材１３０およびロックスイッチ２６０と係合されている。連結部材２４０は、ロックスイッチ２６０の光軸に沿う正逆方向への移動に伴い、平面１１１上を光軸に沿う方向へ移動し、係止部材１３０を操作環１２０に対して接離する方向へ移動させる。
【００５１】
図９（ａ）に示すように、係止部材１３０の長孔１３３に連結部材２４０に突設された凸部２４２を係合することで、係止部材１３０が連結部材２４０に対して光軸に沿って正逆方向へ摺動可能になっている。また、連結部材２４０には、光軸に対して略直交する方向へ延びる凸部２４３が突設されている。さらに、連結部材２４０の一端部の略中央には、バネ取付部２４４が設けられている。バネ取付部２４４には、ガイドバネ２５０の一端が取り付けられる。
【００５２】
図９（ｂ）に示すように、連結部材２４０の係止部材１３０側の面にはボス部２４１が形成されている。ボス部２４１は、コイルバネ等で構成される付勢部材１５０を貫通し、先端が挿通孔１３１ａに挿通される。これにより、付勢部材１５０は、係止部材１３０を常に操作環１２０側へ付勢する。
【００５３】
図１０は、実施の形態２にかかるレンズ鏡筒に用いるロックスイッチ２６０の構成を示す図である。図１０（ａ）は、光軸方向から見た（図１（ａ）の矢印イの方向から見た）図、図１０（ｂ）はロックスイッチ２６０を側面方向から見た図（図１０（ａ）を矢印コの方向から見た図）である。
【００５４】
ロックスイッチ２６０は、係止部材１３０を操作環１２０に対して接離する方向へ移動させるためのものである。ロックスイッチ２６０は、連結部材２４０に係合されるとともに、側片２６１が固定筒１１０に取り付けられた中間鏡筒１７０の溝部１７１に緩嵌され、中間鏡筒１７０に対して光軸に沿う方向へ摺動可能になっている。ロックスイッチ２６０は、ユーザの操作により、光軸に沿う方向へ移動して、連結部材２４０を介して係止部材１３０を光軸に沿う方向へ移動させ、係止部材１３０を操作環１２０に対して接離する方向へ移動させる。
【００５５】
また、ロックスイッチ２６０の底部の略中央部には、光軸に対して略直交する方向へ延びる長溝２６２が形成されている。この長溝２６２には、連結部材２４０の凸部２４３が係合される。凸部２４３が長溝２６２に対して摺動することで、連結部材２４０は係止部材と一体的に光軸に対して略直交する操作環１２０の接線方向へ移動可能になる。
【００５６】
さらに、ロックスイッチ２６０の底部の光軸に沿う方向に延びる中心線Ｂ上には、バネ取付部２６３が設けられている。バネ取付部２６３には、バネ取付部２４４に取り付けられたガイドバネ２５０の他端が取り付けられる。実施の形態２にかかるレンズ鏡筒では、ガイドバネ２５０が設けられたことで、連結部材２４０に被ガイド部を形成せず、また中間鏡筒１７０にガイド部１７２を形成することなく、操作環１２０のロック解除時に、係止部材１３０の歯部１３２の位相を所定の状態に維持することができる。
【００５７】
図１１は、実施の形態２にかかるレンズ鏡筒におけるガイドバネ２５０の動作を説明するための図である。たとえば、図１１に示すように、歯合状態における係止部材１３０の歯部１３２と操作環１２０の櫛歯１２２の位相の修正が必要になり、係止部材１３０の歯部１３２が中心線Ｂからずれた場合であっても、操作環１２０のロック解除時にはガイドバネ２５０の弾性力により係止部材１３０の歯部１３２が中心線Ｂ上に位置するように引き戻される（図１０（ａ）参照）。
【００５８】
以上のように、実施の形態２にかかるレンズ鏡筒では、ガイドバネ２５０が設けられたことで、連結部材２４０に被ガイド部を形成せず、また中間鏡筒１７０にガイド部１７２を形成することなしに、操作環１２０のロック解除時には係止部材１３０の歯部１３２の位相を所定の状態に維持することができる。なお、他の動作については実施の形態１の場合と同様である。
【００５９】
（実施の形態３）
次に、実施の形態３にかかるレンズ鏡筒について説明する。実施の形態３は、実施の形態２の変形例である。以下では、実施の形態２のレンズ鏡筒に用いられている部材と同様の部材には同じ符号を付して説明する。
【００６０】
図１２は、実施の形態３にかかるレンズ鏡筒に用いる係止部材１３０、連結部材３４０およびロックスイッチ３６０の構成を示す図である。また、図１３は、図１２のＣ−Ｃ線断面図である。係止部材１３０の構成は実施の形態２と同様であるが、連結部材３４０およびロックスイッチ３６０の構成は実施の形態２とは異なる。以下では、主に実施の形態２と異なる点について説明する。
【００６１】
図１２，１３に示すように、実施の形態３のレンズ鏡筒では、連結部材３４０の両側面に、バネ取付部３４１，３４２がそれぞれ設けられている。また、バネ取付部３４１，３４２には、それぞれガイドバネ３５１，３５２の一端が取り付けられる。この連結部材３４０にはロックスイッチ３６０と係合させるための凸部は形成されていない。なお、係止部材１３０を操作環１２０側へ付勢する手段等、他の構成は実施の形態２の場合と同様である。
【００６２】
ロックスイッチ３６０は、係止部材１３０を操作環１２０に対して接離する方向へ移動させるためのものである。図１３に示すように、ロックスイッチ３６０は、側片３６１が固定筒１１０に取り付けられた中間鏡筒１７０の溝部１７１に緩嵌され、中間鏡筒１７０に対して光軸に沿う方向へ摺動可能になっている。ロックスイッチ３６０は、ユーザの操作により、光軸に沿う方向へ移動して、連結部材３４０を介して係止部材１３０を光軸に沿う方向へ移動させ、係止部材１３０を操作環１２０に対して接離する方向へ移動させる。
【００６３】
また、ロックスイッチ３６０の底部の側面近傍には、バネ取付部３６２，３６３がそれぞれ設けられている。バネ取付部３６２，３６３には、それぞれバネ取付部３４１，３４２に取り付けられたガイドバネ３５１，３５２の他端が取り付けられる。このようにすることで、係止部材１３０が連結部材３４０を介してロックスイッチ３６０に取り付けられる。ロックスイッチ３６０には、連結部材３４０に係合させるための長孔は形成されていない。しかしながら、ガイドバネ３５１，３５２が設けられていることで、連結部材３４０は、光軸に対して略直交する操作環１２０の接線方向（図の矢印サの方向）へ移動可能になる。
【００６４】
このようにしても、歯合状態における係止部材１３０の歯部１３２と操作環１２０の櫛歯１２２の位相の修正が必要になり、係止部材１３０の歯部１３２が中心線Ｂからずれた場合であっても、操作環１２０のロック解除時にはガイドバネ３５１，３５２の弾性力により係止部材１３０の歯部１３２の位相を所定の状態に維持することができる。なお、他の動作については実施の形態２の場合と同様である。
【産業上の利用可能性】
【００６５】
以上のように、本発明にかかるレンズ鏡筒は、カメラ傾斜時における可動レンズ群の自重落下を防止し、可動レンズ群の位置精度を維持することができるため、特に、頻繁に激しくカメラを構える角度を変化させる必要がある撮影に有用である。
【符号の説明】
【００６６】
１１０  固定筒
１１１  平面
１２０  操作環
１２１  内側面
１２２  櫛歯
１３０  係止部材
１３１  底部
１３１ａ  挿通孔
１３２  歯部
１３３  長孔
１４０，２４０，３４０  連結部材
１４１，２４１  ボス部
１４２，１４３，２４２，２４３  凸部
１４４  被ガイド部
１５０  付勢部材
１６０，２６０，３６０  ロックスイッチ
１６１，２６１，３６１  側片
１６２，２６２  長溝
１７０  中間鏡筒
１７１  溝部
１７２  ガイド部
２４４，２６３，３４１，３４２，３６２，３６３  バネ取付部
２５０，３５１，３５２  ガイドバネ
【図１】
2015011324.tif 000003
【図２】
2015011324.tif 000004
【図３】
2015011324.tif 000005
【図４】
2015011324.tif 000006
【図５】
2015011324.tif 000007
【図６】
2015011324.tif 000008
【図７】
2015011324.tif 000009
【図８】
2015011324.tif 000010
【図９】
2015011324.tif 000011
【図１０】
2015011324.tif 000012
【図１１】
2015011324.tif 000013
【図１２】
2015011324.tif 000014
【図１３】
2015011324.tif 000015